(57)【要約】【課題】本発明は、ヘッド部内の特に軸受の隙間から唾液や血液等の異物が侵入するのを防止し、患者・術者間及び患者・患者間の交叉汚染を防止し得るようにした歯科用ハンドピースを提供する。【解決手段】本発明は、ヘッド部２内で羽根車１１の下部に位置する軸受２４の下面とハウジング５の内底部５ａとの間の隙間領域Ｓ２に浮動可能に、かつ、工具保持部材１２に非接触状態に吸引防止リングシート４１を配置し、ヘッド部２内の圧力の正圧時に吸引防止リングシート４１をハウジング５の内底部５ａ方向に移動させ、ヘッド部２内の圧力の負圧時に吸引防止リングシート４１を軸受２４の下面に密着させ、軸受２４の内輪２４ａと外輪２４ｂとの間にある環状隙間Ｓ２を閉塞するようにしたものである。【選択図】図３
2017104251.tif 000002
【特許請求の範囲】
【請求項１】
ヘッド部内に羽根車を支持する工具保持部材を軸受により回転自在に収容し、前記ヘッド部に形成された給気口から噴射された空気によって前記羽根車を介して所要の工具を保持する工具保持部材を回転駆動するとともに、前記空気をヘッド部に形成された排気口から排出する歯科用ハンドピースであって、
前記ヘッド部内で前記羽根車の下部、上部に位置する各軸受の下面、上面と、各軸受の下面の下部、上面の上部に位置するヘッド部を構成するハウジング、抑えブラケットの各内底部との間の隙間領域の一方又は双方に浮動可能に、かつ、前記工具保持部材に非接触状態に配置した１個又は２個の吸引防止リングシートを備え、
前記羽根車の回転作動時にヘッド部内の圧力が正圧になることによって、前記１個又は２個の吸引防止リングシートを、前記ハウジング、抑えブラケットの各内底部の一方又は双方に移動させ、
前記羽根車の回転停止時にヘッド部内の圧力が負圧になることによって、前記１個又は２個の吸引防止リングシートを、前記下部の軸受の下面方向、上部の軸受の上面方向の一方又は双方に移動して、前記下部の軸受の下面、上部の軸受の上面の一方又は双方に密着させ、前記下部の軸受の内輪と外輪との間にある環状隙間、上部の軸受の内輪と外輪との間にある環状隙間の一方又は双方を塞ぐことで、前記ヘッド部の底部側、ヘッド部の上部側の一方又は双方からヘッド部内への異物の侵入を防止し得るように構成したことを特徴とする歯科用ハンドピース。
【請求項２】
ヘッド部内に羽根車を支持する工具保持部材を軸受により回転自在に収容し、前記ヘッド部に形成された給気口から噴射された空気によって前記羽根車を介して所要の工具を保持する工具保持部材を回転駆動するとともに、前記空気をヘッド部に形成された排気口から排出する歯科用ハンドピースであって、
前記ヘッド部内で前記羽根車の下部、上部に位置する各軸受の下面、上面と、各軸受の下面の下部、上面の上部に位置するヘッド部を構成するハウジング、抑えブラケットの各内底部との間の隙間領域の一方又は双方に浮動可能に、かつ、前記工具保持部材に非接触状態に配置されるとともに、外周部を前記各軸受の外輪下部又は上部の内周部に固定配置したシール部品の下面又は上面と、前記ヘッド内底部又は前記抑えブラケットに形成した前記外輪下端面又は外輪下端面を支持するハウジング内底段部との間の空隙に臨ませた１個又は２個の吸引防止リングシートを備え、
前記羽根車の回転作動時にヘッド部内の圧力が正圧になることによって、前記１個又は２個の吸引防止リングシートの外周部を前記空隙に臨ませたまま該吸引防止リングシートを前記下部の軸受の下面方向、上部の軸受の上面方向の一方又は双方に移動して、前記下部の軸受の下面、上部の軸受の上面の一方又は双方に密着させ、
前記羽根車の回転停止時にヘッド部内の圧力が負圧になることによって、前記１個又は２個の吸引防止リングシートを、その外周部を前記空隙に臨ませたまま前記下部の軸受の下面方向、上部の軸受の上面方向の一方又は双方に移動して、前記下部の軸受の下面、上部の軸受の上面の一方又は双方に密着させ、前記下部の軸受の内輪と外輪との間にある環状隙間、上部の軸受の内輪と外輪との間にある環状隙間の一方又は双方を塞ぐことで、前記ヘッド部の底部側、ヘッド部の上部側の一方又は双方からヘッド部内への異物の侵入を防止し得るように構成したことを特徴とする歯科用ハンドピース。
【請求項３】
請求項１に記載の前記吸引防止リングシートは、弾性素材からなることを特徴とする歯科用ハンドピースの吸引防止リングシート。
【請求項４】
請求項２に記載の前記吸引防止リングシートは、弾性素材からなり、その厚みは前記空隙の工具保持部材長さ方向の寸法より薄いことを特徴とする歯科用ハンドピースの吸引防止リングシート。
【請求項５】
前記吸引防止リングシートは、耐熱素材からなることを特徴とする請求項３又は４に記載の歯科用ハンドピースの吸引防止リングシート。
【請求項６】
前記吸引防止リングシートは、その表面に同心円状の凸部を設けた形状であることを特徴とする請求項３乃至５のいずれかに記載の歯科用ハンドピースの吸引防止リングシート。
【発明の詳細な説明】
【技術分野】
【０００１】
本発明は、歯科用ハンドピ−ス及びその吸引防止リングシートに関し、詳しくは、例えば歯科用エアタービンハンドピースのヘッド部に発生するサックバック現象によってヘッド部内に異物が侵入するのを防止し、ハンドピ−スを介して生じる患者・術者間および患者・患者間の交叉感染を防ぐようにした歯科用ハンドピ−ス及び該歯科用ハンドピースに使用される吸引防止リングシートに関するものである。
【背景技術】
【０００２】
例えば、歯科用エアタービンハンドピースは、ヘッド部内に羽根車を支持する工具保持部材を軸受により回転自在に収容し、前記ヘッド部に形成された給気口から噴射された空気によって前記羽根車を介して所要の工具を保持する工具保持部材を回転駆動するとともに、前記空気をヘッド部に形成された排気口から排出するように構成している。
【０００３】
このような歯科用ハンドピースにおいては、ヘッド部内への高圧空気の供給を停止しても、羽根車や工具保持部材は慣性によりしばらく回転を続け、この回転によってヘッド部の内部に形成されている空間内の空気が外部に排出されこの空間が負圧状態になる。この結果、ヘッド部に存在する隙間を通じて外部の空気がヘッド部の内部に吸引される。
【０００４】
すなわち、歯科治療中に工具の回転を停止したとき、患者の唾液や血液、更には切削された歯粉等が唾液等と共に、ヘッド部の内部に吸引される現象（サックバック現象）が発生する。
【０００５】
このため、患者・術者間や患者・患者間の交叉感染を防止する観点からサックバック現象防止対策が極めて肝要となる。
【０００６】
特許文献１には、本願出願人が先に特許を取得した歯科用ハンドピースであって、ヘッド部に羽根車を回転自在に収容し、前記ヘッド部に形成された給気口から噴射された空気によって羽根車とこれに保持された所要の工具を回転し、羽根車と共に回転移動する空気をヘッド部に形成された排気口から排出するように構成し、前記羽根車の下部に位置するベアリング下面とヘッド底部に挟まれるように、リングシートを装着固定し、前記リングシートは、少なくとも内径が回転軸に接触しない径に形成すると共に、内径から外径方向に複数の切り込みを設け、前記羽根車の回転作動時にヘッド部内の圧力が正圧になることによって、前記リングシートの切り込みにより形成された扇状片がヘッド部の底部方向に撓むことで押し開かれ、前記羽根車の回転停止時にヘッド部内の圧力が負圧になることによって、前記扇状片がヘッド部内に吸引されてベアリング下面に密着し、該ベアリングの内輪と外輪の間にある環状隙間を塞ぐことで、ヘッド部内への異物の侵入を防止し得るように構成した歯科用ハンドピースが開示されている。
【０００７】
しかし、特許文献１の歯科用ハンドピースの場合、負圧だけでなく、リングシートの弾性も利用してこのリングシートをベアリング下面に密着させているので、
（１）高圧空気の供給が浪費され、かつ、リングシートの摩耗が速いこと、
（２）リングシートの弾性により、ヘッド部内の圧力がある程度の空気圧にならないと羽根車の回転が開始せず、突然高速で回転を開始するので、工具を保持するバーチャックに遠心力が急に掛かり、バー（工具）が飛ぶ危険があること(ベアリングの遊びの部分やバーチャックの芯がずれている場合等)、
（３）バーチャックが急加速回転するのでベアリングやリテーナに衝撃が加わり、寿命が短くなること、
（４）バーチャックの急加速によりオイルが飛び散り、これもベアリング寿命を短くすること、
（５）潤滑用のスプレーオイルと汚れ（リテーナ等の摩耗紛）がベアリング内に滞留しやすい、
等のような問題を包含している。
【０００８】
また、特許文献２には、切削工具を保持する回転筒と該回転筒に外装されて固定された翼車をヘッド部に収容し、給気口から供給された空気を翼車に当てて該翼車に回転を与えるとともに、翼車に当たった空気を排気口から排出する歯科用切削装置において、ヘッド部は、翼車の外周端部に対向する部分に配置され、回転筒の中心軸から直交する方向に伸びる第１の空隙と、中心軸の方向に関する翼車の一端側又は両端側に隣接すると共に第１の空隙に連通した第２の空隙を有する構成からなる歯科用切削装置が提案されている。
【０００９】
しかし、特許文献２の歯科用切削装置の場合、翼車の外周端部に対向する部分に、回転筒の中心軸から直交する方向に伸びる第１の空隙と、中心軸の方向に関する翼車の一端側又は両端側に隣接すると共に第１の空隙に連通した第２の空隙を形成する複雑な構成を採用しており、翼車下側の軸受の内輪と外輪との間の隙間からの異物の吸入防止策までは講じられていない。
【先行技術文献】
【特許文献】
【００１０】
【特許文献１】特許第５５９９１０３号公報
【特許文献２】特開２００３−３２５５４６号公報
【発明の概要】
【発明が解決しようとする課題】
【００１１】
本願発明の目的は、上述した従来技術に鑑み、また、特許文献１の技術を踏まえて、切削工具の周囲に生ずる隙間、特に軸受の隙間から唾液や血液等の異物が侵入するのを防止し得るように構成し、上述した患者・術者間及び患者・患者間の交叉汚染を防止し得るようにした歯科用ハンドピースを提供することである。
【００１２】
本願発明の他の目的は、上記歯科用ハンドピースに装着することによって、患者・術者間及び患者・患者間の交叉汚染を効果的に防止し得る吸引防止リングシートを提供することである。
【課題を解決するための手段】
【００１３】
本発明は、ヘッド部内に羽根車を支持する工具保持部材を軸受により回転自在に収容し、前記ヘッド部に形成された給気口から噴射された空気によって前記羽根車を介して所要の工具を保持する工具保持部材を回転駆動するとともに、前記空気をヘッド部に形成された排気口から排出する歯科用ハンドピースであって、前記ヘッド部内で前記羽根車の下部、上部に位置する各軸受の下面、上面と、各軸受の下面の下部、上面の上部に位置するヘッド部を構成するハウジング、抑えブラケットの各内底部との間の隙間領域の一方又は双方に浮動可能に、かつ、前記工具保持部材に非接触状態に配置した１個又は２個の吸引防止リングシートを備え、前記羽根車の回転作動時にヘッド部内の圧力が正圧になることによって、前記１個又は２個の吸引防止リングシートを、前記ハウジング、抑えブラケットの各内底部の一方又は双方に移動させ、前記羽根車の回転停止時にヘッド部内の圧力が負圧になることによって、前記１個又は２個の吸引防止リングシートを、前記下部の軸受の下面方向、上部の軸受の上面方向の一方又は双方に移動して、前記下部の軸受の下面、上部の軸受の上面の一方又は双方に密着させ、前記下部の軸受の内輪と外輪との間にある環状隙間、上部の軸受の内輪と外輪との間にある環状隙間の一方又は双方を塞ぐことで、前記ヘッド部の底部側、ヘッド部の上部側の一方又は双方からヘッド部内への異物の侵入を防止し得るように構成したことを最も主要な特徴とする。
【発明の効果】
【００１４】
請求項１記載の発明に係る歯科用ハンドピースによれば、以下のような効果を奏する。
【００１５】
すなわち、工具を回転停止した時にヘッド部内の圧力が負圧になっても、ヘッド部の底部側からの若しくはヘッド部の上部側からの、又は、ヘッド部の底部側、ヘッド部の上部側双方からのヘッド部内への異物の侵入を防止することができる。
【００１６】
特に、従来のリングシートは高速回転で回転する部材に接触することで吸引作用を防止するのに対し、請求項１記載の発明における吸引防止リングシートの場合は、回転する部材との接触による摩耗が発生しにくいため高圧空気の供給を浪費することなく、かつ、耐久性を各段に向上させることができる。
【００１７】
従って経年劣化によって生じるヘッド部内への唾液や血液等の異物の侵入を防止することができ、安全性、信頼性を向上させることができる。
【００１８】
前記吸引防止リングシートの場合は、負圧により軸受下面に密着するので、オイルが付着しても、特許文献１の場合のようなスリットがないので、オイルの付着により空気の気密性が増して、吸引防止リングシートをより強く軸受に密着でき、制動効果が増す。
【００１９】
前記吸引防止リングシートが浮動式であるため、スプレーオイルが軸受内部の汚れ（リテーナ等の摩耗粉）を洗い流すことができる。
【００２０】
また、前記吸引防止リングシートによって高速で回転するタービン音が外部に反響することも防止できる。
【００２１】
更にまた、異物侵入に対して未対策の歯科用ハンドピースに対してもヘッドキャップを外して簡単に前記吸引防止リングシートを装着することが可能であるため、従来製品への異物侵入防止対策としても有効である。
【００２２】
請求項２記載の発明によれば、吸引防止リングシートの外周部を、下部の軸受の外輪下部の内周部に、又は、上部の軸受の外輪上部の内周部に固定配置したシール部品の下面又は上面と、前記ヘッド部内に形成した前記外輪下端面を支持するハウジング内底段部との間の空隙、又は、前記外輪上端面を支持する抑えブラケットの内底段部との間の空隙に臨ませた構成の基に、ヘッド部の底部側からの、又は、ヘッド部の上部側からの、ヘッド部内への異物の侵入を防止することができ、かつ、請求項１記載の発明の場合と同様な上述したような種々の効果を発揮させることができる。
【００２３】
請求項３記載の発明によれば、請求項１に記載の発明に係る歯科用ハンドピースに用いる吸引防止リングシートを、弾性素材により構成したことにより、ヘッド部内における正圧時、負圧時の浮動や撓みを確実に実行させることができる。
【００２４】
また、吸引防止リングシートの肉厚や、そのシート幅（外径一定で内径を変更）を調整することで各種エアタービンハンドピースに対応したり、給気エアの圧力変動にも対応することができる。
【００２５】
請求項４記載の発明によれば、請求項２に記載の発明に係る歯科用ハンドピースに用いる吸引防止リングシートを、弾性素材からなり、その厚みは前記空隙の工具保持部材長さ方向の寸法より薄い構成としたことにより、ヘッド部内における正圧時、負圧時の浮動や撓みを確実に実行させることができるとともに、その厚みを前記空隙の工具保持部材長さ方向の寸法より薄くすることで、ヘッド部の底部から放出される空気流への阻害を軽減することもできる。
【００２６】
また、請求項１記載の発明と同様、吸引防止リングシートの肉厚や、そのシート幅（外径一定で内径を変更）を調整することで各種エアタービンハンドピースに対応したり、給気エアの圧力変動にも対応することができる。
【００２７】
請求項５記載の発明によれば、請求項３又は４に記載の発明に係る吸引防止リングシートを、例えばテフロン（登録商標）等の耐熱素材により構成することにより、オートクレーブ対応仕様とすることができる。
【００２８】
請求項６記載の発明によれば、請求項３乃至５のいずれかに記載の歯科用ハンドピースの吸引防止リングシートにおいて、その表面に同心円状の凸部を設けた形状とすることにより、羽根車を停止させる際のブレーキ性能を向上させることができる。
【図面の簡単な説明】
【００２９】
【図１】図１は本発明の実施例１に係る歯科用ハンドピースの概略平面図である。
【図２】図２は本実施例１に係る歯科用ハンドピースにおけるヘッド部の概略拡大斜視図である。
【図３】図３は図２のＡ−Ａ線拡大断面図であり、吸引防止リングシートの正圧状態の位置を示す図である。
【図４】図４は図２のＡ−Ａ線拡大断面図であり、吸引防止リングシートの負圧状態の位置を示す図である。
【図５】図５は本実施例１に係る歯科用ハンドピースにおけるヘッド部の軸受下面に対する吸引防止リングシートの正圧時、負圧時の状態を示す部分拡大説明図である。
【図６】図６は図３のＢ−Ｂ線断面図である。
【図７】図７（ａ）は本実施例１に係る吸引防止リングシートの斜視図、図７（ｂ）は本実施例１に係る吸引防止リングシートの平面図である。
【図８】図８は本実施例１に係るヘッド部において羽根車を取り外し、ヘッド部の上部から見た平面図である。
【図９】図９は本発明の実施例２に係る歯科用ハンドピースにおけるヘッド部の拡大断面図であり、吸引防止リングシートの正圧状態の位置を示す図である。
【図１０】図１０は本発明の実施例２に係る歯科用ハンドピースにおけるヘッド部の拡大断面図であり、吸引防止リングシートの負圧状態の位置を示す図である。
【図１１】図１１は本実施例２に係る歯科用ハンドピースにおけるヘッド部の軸受下面に対する吸引防止リングシートの正圧時、負圧時の状態を示す部分拡大説明図である。
【発明を実施するための形態】
【００３０】
本発明は、切削工具の周囲に生ずる隙間、特に軸受の隙間から唾液や血液等の異物が侵入するのを防止し得るように構成し、患者・術者間及び患者・患者間の交叉汚染を防止し得るようにした歯科用ハンドピースを提供するという目的を、ヘッド部内に羽根車を支持する工具保持部材を軸受により回転自在に収容し、前記ヘッド部に形成された給気口から噴射された空気によって前記羽根車を介して所要の工具を保持する工具保持部材を回転駆動するとともに、前記空気をヘッド部に形成された排気口から排出する歯科用ハンドピースであって、前記ヘッド部内で前記羽根車の下部、上部に位置する各軸受の下面、上面と、各軸受の下面の下部、上面の上部に位置するヘッド部を構成するハウジング、抑えブラケットの各内底部との間の隙間領域の一方又は双方に浮動可能に、かつ、前記工具保持部材に非接触状態に配置されるとともに、外周部を前記各軸受の外輪下部又は上部の内周部に固定配置したシール部品の下面又は上面と、前記ヘッド内底部又は前記抑えブラケットに形成した前記外輪下端面又は外輪下端面を支持するハウジング内底段部との間の空隙に臨ませた１個又は２個の吸引防止リングシートを備え、前記羽根車の回転作動時にヘッド部内の圧力が正圧になることによって、前記１個又は２個の吸引防止リングシートの外周部を前記空隙に臨ませたまま該吸引防止リングシートを前記下部の軸受の下面方向、上部の軸受の上面方向の一方又は双方に移動して、前記下部の軸受の下面、上部の軸受の上面の一方又は双方に密着させ、前記羽根車の回転停止時にヘッド部内の圧力が負圧になることによって、前記１個又は２個の吸引防止リングシートを、その外周部を前記空隙に臨ませたまま前記下部の軸受の下面方向、上部の軸受の上面方向の一方又は双方に移動して、前記下部の軸受の下面、上部の軸受の上面の一方又は双方に密着させ、前記下部の軸受の内輪と外輪との間にある環状隙間、上部の軸受の内輪と外輪との間にある環状隙間の一方又は双方を塞ぐことで、前記ヘッド部の底部側、ヘッド部の上部側の一方又は双方からヘッド部内への異物の侵入を防止し得るように構成したにより実現した。
【００３１】
以下に本発明の実施例に係る歯科用ハンドピース及び吸引防止リングシートについて図面を参照して詳細に説明する。
【実施例１】
【００３２】
本発明の実施例１に係る歯科用ハンドピース１及び吸引防止リングシート４１について、図１乃至図８を参照して説明する。
【００３３】
本の実施例１に係る歯科用ハンドピース１は、図１、図２に示すように、ヘッド部２と本体部３とからなり、本体部３の後方には歯科用治療装置（図示せず）に接続するためのホースジョイント４を設けている。
【００３４】
そして、図示しない歯科治療装置から供給された圧縮エアは前記ホースジョイント４を介してヘッド部２にある給気口１４（図６参照）からヘッド部２内に供給されるように構成している。
【００３５】
次に、図３を参照して前記ヘッド部２について詳述する。
【００３６】
前記ヘッド部２は、ハウジング５を具備し、このハウジング５内に羽根車１１が収容され、前記羽根車１１とこの羽根車１１を支持するとともに下方から工具（図示せず）が装着される工具保持部材１２とが、前記本体部３に形成された給気管路１３の給気口１４から噴射される空気によって回転駆動され、前記羽根車１１の回転伴い流動する空気は前記ハウジング５内に形成された排気口１５から前記本体部３に形成された排気管路１６を経て排気されるように構成している。
【００３７】
このとき、前記流動する空気は、前記排気管路１６へ流れると同時に、プッシュキャップ２１の隙間、及び、前記ハウジング５の底部２２の隙間２３から大気へ排出される。
【００３８】
この場合、前記空気は、前記底部２２側においては、前記羽根車１１の下部に位置する例えばステンレス鋼を主体とする軸受２４の内輪２４ａと外輪２４ｂとの間にある環状隙間Ｓ１を通り、さらに前記底部２２の隙間２３を経て排出される。
【００３９】
前記ハウジング５における前記軸受２４の下側に位置する内底部５ａ上に詳細は後述する図７（ａ）、（ｂ）に示すような浮動式とした弾性素材でかつ耐熱素材からなる吸引防止リングシート４１を配置する構成としている。
【００４０】
尚、前記軸受２４は、内輪２４ａ、外輪２４ｂの他に、ボール２４ｃ、リテーナ２４ｄを具備している。前記上部の軸受２９も、前記軸受２４と同様な構造としている。
【００４１】
前記羽根車１１は、工具（図示せず）を着脱可能とする工具保持部材１２を回転軸として、その径方向に所要数の羽根を突出形成した構造としている。
【００４２】
前記工具保持部材１２には、羽根車１１を挟んで前記軸受２４及び上部の軸受２９を圧入するようにしてカートリッジ構造としている。
尚、前記工具保持部材１２はプッシュキャップ２１をバネ３０の弾性力に抗して上方から押すことで図示しない保持部が開閉し、工具の着脱が可能な構造としている。
【００４３】
前記軸受２４とハウジング５との間にはＯリング２６を、前記軸受２９とこの軸受２９を覆う抑えブラケット３１との間にはＯリング２７を各々装着するように構成している。
【００４４】
図８は前記ヘッド部２からヘッドキャップ２８、抑えブラケット３１、羽根車１１、軸受２４、軸受２９、工具保持部材１２を取り外し、これをヘッド部２の上方からから見た状態を示している。
【００４５】
次に、前記軸受２４、吸引防止リングシート４１について図３、図５を参照してさらに詳述する。
【００４６】
前記軸受２４は、図５に拡大して示すように、前記内輪２４ａ、外輪２４ｂ、ボール２４ｃ、リテーナ２４ｄを具備することに加え、外周部３２ａを前記軸受２４の外輪２４ｂ下部の内周部に設けたシール部品取り付け凹陥部２４ｅに対して前記内輪２４ａに向けて直交する配置で固定するシール部品である例えばステンレス製で段差付きの薄型円環状のシールド体３２と、このシールド体３２を外輪２４ｂ下部のシール部品取り付け凹陥部２４ｅに止め付けるやはりステンレス製で薄型円環状の止め輪３３とを具備している。
【００４７】
前記シールド体３２は、外周部３２ａよりも中央部３２ｂが低い段差を有する皿状に形成するとともに、前記中央部３２ｂ内側の内径部が前記内輪２４ａの外周に接触しない寸法に設定している。
【００４８】
また、前記止め輪３３は、平坦な薄型円環状で、かつ、シール部品取り付け凹陥部２４ｅに対して前記シールド体３２の外周部３２ａのみを固定支持する小幅の形状としている。
【００４９】
そして、前記軸受２４の下方に位置する前記ハウジング５の内底部５ａ上に配置する吸引防止リングシート４１は、前記工具保持部材１２に接触しない寸法の中央孔部４２を有するとともに、その外径が前記ハウジング５の内底部５ａの内径より僅かに小さい寸法で、前記ヘッド部２内の圧力変動に応じて前記内底部５ａと、前記軸受２４の内輪２４ａの下面並びに前記シールド体３２及び止め輪３３の下面との間の隙間領域Ｓ２を浮動（図３に示す状態では上下浮動）し得るように構成している。
【００５０】
次に、前記吸引防止リングシート４１について図７を参照してさらに詳述する。
【００５１】
前記吸引防止リングシート４１の材質は、弾性素材からなり、かつ、オートクレーブ（滅菌器による滅菌）しても耐熱可能なテフロン（登録商標）素材が好ましいが、テフロン（登録商標）素材に限定されるものではない。
【００５２】
また、前記吸引防止リングシート４１の肉厚寸法は、前記ヘッド部２内の空気圧の変動に対応して撓むものであれば任意の肉厚寸法とすることができる。
【００５３】
次に、本実施例１の歯科用ハンドピース１及び吸引防止リングシート４１によるヘッド部２内への異物の侵入防止作用，及び、効果について主に図３、図４を参照して説明する。
【００５４】
本実施例１の歯科用ハンドピース１、吸引防止リングシート４１において、前記吸気管路１３から吸気口１４を経て空気が供給されると、この空気の噴射によって羽根車１１、工具（図示せず）を保持する工具保持部材１２が回転駆動され歯科用ハンドピース１による幹部の治療行為が可能となるとともに、前記ヘッド部２内は正圧状態となり、これにより、前記吸引防止リングシート４１は、図３、図５に示すように、前記ハウジング５の内底部５ａに押圧されてこの内底部５ａに密着する状態となる。
【００５５】
一方、前記歯科用ハンドピース１、吸引防止リングシート４１において、上述した空気の噴射を停止すると、前記羽根車１１は、慣性によりある時間回転を継続する。
【００５６】
この慣性による羽根車１１の回転が継続する間、前記羽根車１１の回転に伴う空気流は排気口１５、排気管路１６を経て排出されるが、これと同時に前記給気口１４の付近（近傍）では「正圧」から「同圧（大気圧に対して）」、「同圧」から「負圧」へと圧力が低下し、前記ヘッド部２の内部全体が負圧状態に変化する。
【００５７】
このようなヘッド部２内の正圧から負圧への圧力の変化に従い、前記吸引防止リングシート４１には軸受２４の下面方向への吸引力が作用し、この結果、前記吸引防止リングシート４１は、図４、図５に示すように、軸受２４の下面方向に浮動しつつ移動し、前記環状隙間Ｓ１を塞ぐとともに前記軸受２４下面に密着する状態になる。
【００５８】
これにより、前記ヘッド部２の底部２２側からヘッド部２内への患者の唾液や血液、更には切削された歯粉等からなる異物の侵入が防止され、前記歯科用ハンドピース１による治療行為に伴って生じ易い患者・術者間及び患者・患者間の交叉汚染を的確に防止することが可能となる。
【００５９】
さらに詳述すると、本実施例１の歯科用ハンドピース１及び吸引防止リングシート４１によれば、吸引防止リングシート４１が工具保持部材１２に接触することがないため、吸引防止リングシート４１の耐久性を各段に向上させることができる。
【００６０】
従って、経年劣化によって生じるヘッド部２内への唾液や血液等の異物の侵入増加を防止することができ、安全性、信頼性を向上させることができる。
【００６１】
また、本実施例１における歯科用ハンドピース１及び吸引防止リングシート４１の場合は、負圧により軸受下面に密着するので、オイルが付着しても、このオイルの付着により空気の気密性が増して、吸引防止リングシート４１をより強く軸受２４の下面に密着でき、制動効果が増すこと、前記吸引防止リングシート４１が浮動式であるため、スプレーオイルが軸受２４の内部に入り易いこと、前記吸引防止リングシート４１によって高速で回転するタービン音が外部に反響することも防止できること、吸引防止リングシート４１を、弾性素材により構成したことにより、ヘッド部２内における正圧時、負圧時の浮動や撓みを確実に実行させることができること、等の効果を奏する。
【００６２】
更に、前記吸引防止リングシート４１を、例えばテフロン（登録商標）等の耐熱素材により構成することにより、オートクレーブ対応仕様とすることができる。
【００６３】
更にまた、本実施例１によれば、異物侵入に対して未対策の歯科用ハンドピースに対してもヘッドキャップ２８を外して簡単に前記吸引防止リングシート４１をヘッド部２内の所定の箇所に装着することが可能であるため、従来製品への異物侵入防止対策としても極めて有効であるという効果も奏する。
【実施例２】
【００６４】
次に、図９乃至図１１を参照して本発明の実施例２に係る歯科用ハンドピース１及び吸引防止リングシート４１Ａについて説明する。
【００６５】
尚、本実施例２に係る歯科用ハンドピース１及び吸引防止リングシート４１Ａにおいて、実施例１の場合と同一の要素には同一の符号を付し、その詳細説明は省略する。
【００６６】
本実施例２に係る歯科用ハンドピース１及び吸引防止リングシート４１Ａは、基本的構成は実施例１の場合と略同様であるが、前記吸引防止リングシート４１Ａの外形寸法を吸引防止リングシート４１の場合よりも僅かに大きくしたこと、及び、前記吸引防止リングシート４１Ａの外周部を、前記軸受２４の外輪２４の下部のシール部品取り付け凹陥部２４ｅに固定配置した止め輪３３の下面と、前記内底部５ａの外側に形成した前記外輪２４の下端面を支持する内底段部５ｂとの間の空隙Ｓ３に臨ませたこと、が特徴である。
【００６７】
本実施例２に係る歯科用ハンドピース１及び吸引防止リングシート４１Ａによれば、実施例１の場合と同様にして、前記ヘッド部２内が正圧状態となったとき、前記吸引防止リングシート４１Ａは、図９、図１１に示すように、その外周部を前記シール部品取り付け凹陥部２４ｅ内に臨ませつつ中央部側が撓み、前記ハウジング５の内底部５ａに押圧されてこの内底部５ａに密着する状態となる。
【００６８】
一方、前記ヘッド部２内が負圧状態となったとき、前記吸引防止リングシート４１Ａには軸受２４の下面方向への吸引力が作用する。
【００６９】
これにより、前記吸引防止リングシート４１Ａは、図１０、図１１に示すように、その外周部を前記シール部品取り付け凹陥部２４ｅ内に臨ませつつ軸受２４の下面方向に浮動しつつ移動し、前記軸受２４の下面に密着する状態になる。
【００７０】
すなわち、前記吸引防止リングシート４１Ａの中央部側は、環状隙間Ｓ１を塞ぐとともに前記内輪２４ａの下面に密着する状態になる。
【００７１】
これにより、前記ヘッド部２の底部２２側からヘッド部２内への患者の唾液や血液、更には切削された歯粉等からなる異物の侵入が防止され、前記歯科用ハンドピース１による治療行為に伴って生じ易い患者・術者間及び患者・患者間の交叉汚染を的確に防止することが可能となる。
【００７２】
本実施例２に係る歯科用ハンドピース１及び吸引防止リングシート４１Ａによれば、実施例１の場合と同様な効果を発揮させることができる。
【００７３】
また、前記吸引防止リングシート４１Ａを、特に弾性素材により形成し、その厚みは前記空隙Ｓ３の工具保持部材１２の長さ方向の寸法より薄い構成とすることにより、前記ヘッド部２内における正圧時、負圧時の浮動や撓みを確実に実行させることができるとともに、その厚みを上述のように薄くすることで、ヘッド部２の底部から放出される空気流への阻害を軽減することもできる。
【００７４】
この場合、前記吸引防止リングシート４１Ａは、上下移動距離が少なくてよいことから、その厚さを、前記止め輪３３と内底段部５ｂとの隙間寸法（例えば０．１５ｍｍ）以下に作製することによって、ヘッド部２内の圧力の変化に応じて軸受２４の外輪２４ｂと内輪２４ａとの間の環状隙間Ｓ１を確実に閉塞したり解放したりすることが可能となる。
【００７５】
次に、本実施例１、２に係る歯科用ハンドピース１及び吸引防止リングシート４１、４１Ａについて、さらなる拡張例について概説する。
【００７６】
上述した実施例１に係る歯科用ハンドピース１においては、前記吸引防止リングシート４１をハウジング５の内底部方向に移動させ、前記羽根車１１の回転停止時にヘッド部２内の圧力が負圧になることによって、前記吸引防止リングシート４１を下側の軸受２４の下面方向に移動して前記軸受２４の下面に密着させ、該軸受２４の内輪２４ａと外輪２４ｂとの間にある環状隙間Ｓ１を塞ぐことで、ヘッド部２の底部側からヘッド部２内への異物の侵入を防止し得るようにしたが、これに替えて、前記羽根車１１の上部に位置する軸受２９の上面と、この軸受２９の上部に位置する抑えブラケット３１の内底部との間の隙間領域に浮動可能に、かつ、前記工具保持部材１２に非接触状態に配置した図示しない前記吸引防止リングシートを備える構成とすることもできる。
【００７７】
このように構成すれば、前記羽根車１１の回転作動時にヘッド部２内の圧力が正圧になることによって、前記吸引防止リングシート４１を抑えブラケット３１の内底部方向に移動させ、前記羽根車１１の回転停止時にヘッド部２内の圧力が負圧になることによって、前記吸引防止リングシート４１を軸受２９上面方向に移動して前記軸受２９の上面に密着させ、該軸受２９の内輪と外輪との間にある環状隙間を塞ぐことで、ヘッド部２の上部側からヘッド部２内への異物の侵入を防止しすることが可能となる。
【００７８】
さらには、２個の吸引防止リングシート４１を用い、前記軸受２４とハウジング５の内底部との間、及び、前記軸受２９の上面とこの軸受２９の上部に位置する抑えブラケット３１の内底部との間の双方に各々吸引防止リングシート４１を配置する構成とすれば、ヘッド部２の底部側からヘッド部２内への異物の侵入防止と、ヘッド部２の上部側からヘッド部２内への異物の侵入防止との双方の効果を発揮させることが可能となって、ヘッド部２内への唾液や血液等の異物の侵入をより効果的に防止することができ、安全性、信頼性をより向上させることができる。
【００７９】
また、上述した実施例２に係る歯科用ハンドピース１の場合には、ヘッド部２内の圧力が負圧になることによって、前記吸引防止リングシート４１Ａの外周部を前記空隙Ｓ３に臨ませたまま該吸引防止リングシート４１Ａをシールド体３２、止め輪３３を備える軸受２４の下面方向に移動して前記軸受２４の下面に密着させ、該軸受２４の内輪２４ａと外輪２４ｂとの間にある環状隙間Ｓ２を塞ぐことで、ヘッド部２の底部側からヘッド部２内への異物の侵入を防止するように構成したが、これに替えて、前記羽根車１１の上部に位置する前記軸受２４と同様な構成からなる軸受２９の上面と、この軸受２９の上部に位置する抑えブラケット３１の内底部との間の隙間領域に浮動可能に、かつ、前記工具保持部材１２に非接触状態に配置した図示しない前記吸引防止リングシートを備える構成とすることもできる。
【００８０】
このように構成すれば、前記羽根車１１の回転作動時にヘッド部２内の圧力が正圧になることによって、前記吸引防止リングシート４１Ａを抑えブラケット３１の内底部方向に移動させ、前記羽根車１１の回転停止時にヘッド部２内の圧力が負圧になることによって、前記吸引防止リングシート４１Ａを軸受２９上面方向に移動して前記軸受２９の上面に密着させ、該軸受２９の内輪と外輪との間にある環状隙間を塞ぐことで、ヘッド部２の上部側からヘッド部２内への異物の侵入を防止しすることが可能となる。
【００８１】
さらには、２個の吸引防止リングシート４１Ａを用い、前記軸受２４とハウジング５の内底部との間、及び、前記軸受２９の上面とこの軸受２９の上部に位置する抑えブラケット３１の内底部との間の双方に各々吸引防止リングシート４１Ａを配置する構成とすれば、ヘッド部２の底部側からヘッド部２内への異物の侵入防止と、ヘッド部２の上部側からヘッド部２内への異物の侵入防止との双方の効果を発揮させることが可能となって、ヘッド部２内への唾液や血液等の異物の侵入をより効果的に防止することができ、安全性、信頼性をより向上させることができる。
【００８２】
前記吸引防止リングシート４１、４１Ａとしては、上述した場合の他、図示しないが、その表面に所定の間隔を有する同心円状の凸部を複数設けた形状としたり、その表面に中心側から外周部にわたって放射状の形態で凸部を複数設けた形状とすることもできる。
【００８３】
前記吸引防止リングシート４１、４１Ａの表面に同心円状の凸部を複数設けることにより、接触部となる軸受の内輪の外径側角部（小さなＲ面取りがしてある）に、この外径側角部を包み込むように前記吸引防止リングシート４１、４１Ａの同心円状の凸部が面接触状態となり、これにより、羽根車１１を停止させる際のブレーキ性能を向上させることができる。
【産業上の利用可能性】
【００８４】
本発明は、歯科用ハンドピースに限定されるものでなく、空気を利用して工具を駆動する医療用の各種機器等において、機器のヘッド部内への異物侵入よる感染原因の低減や、診療の安全性向上対策として広く活用できるものである。
【符号の説明】
【００８５】
１    歯科用ハンドピース
２    ヘッド部
３    本体部
４    ホースジョイント
５    ハウジング
５ａ  内底部
５ｂ  内底段部
１１    羽根車
１２    工具保持部材
１３    給気管路
１４    給気口
１５    排気口
１６    排気管路
２１    プッシュキャップ
２２    底部
２３    隙間
２４    軸受
２４ａ  内輪
２４ｂ  外輪
２４ｃ  ボール
２４ｄ  リテーナ
２４ｅ  シール部品取り付け凹陥部
２６    Ｏリング
２７    Ｏリング
２８    ヘッドキャップ
２９    軸受
３０    バネ
３１    抑えブラケット
３２    シールド体
３２ａ  外周部
３２ｂ  中央部
３３    止め輪
４１    吸引防止リングシート
４１Ａ  吸引防止リングシート
４２    中央孔部
Ｓ１    環状隙間
Ｓ２    隙間領域
Ｓ３    空隙
【図１】
2017104251.tif 000003
【図２】
2017104251.tif 000004
【図３】
2017104251.tif 000005
【図４】
2017104251.tif 000006
【図５】
2017104251.tif 000007
【図６】
2017104251.tif 000008
【図７】
2017104251.tif 000009
【図８】
2017104251.tif 000010
【図９】
2017104251.tif 000011
【図１０】
2017104251.tif 000012
【図１１】
2017104251.tif 000013